(57)【要約】  優先ローミングリスト（ＰＲＬ）、パブリックランドモバイルネットワーク（ＰＬＭＮ）データベースなどを含むことができるシステム選択ファイルの実装によってアクセスポイント（ＡＰ）基地局の選択および捕捉を促進するためのデバイスおよび方法が提供される。選択の試みは、たとえば、ＡＰ基地局といった特定の優先システムに限定され得る。システム選択ファイルは、優先システムの識別パラメータを含む。一実施形態では、識別パラメータは、システムのうちの所与の１つのシステム識別子（ＳＩＤ）およびネットワーク識別子（ＮＩＤ）のうちの少なくとも一方を含む。
2011501527.tif 000002
【特許請求の範囲】
【請求項１】
システム選択および捕捉を実行する方法であって、
システム選択ファイルを受信することであって、前記ファイルは、複数の通信システム用の優先パラメータおよび捕捉パラメータを備え、前記システムは、アクセスポイント（ＡＰ）基地局を備えることと、
優先システムとして前記ＡＰ基地局を特定するように設定された前記優先パラメータのうちの所与の１つに応答して、前記ＡＰ基地局の捕捉を試みるために対応する捕捉パラメータを利用することと、
を備える方法。
【請求項２】
非優先システムの捕捉を試みることを控えることをさらに備える、請求項１の方法。
【請求項３】
前記ＡＰ基地局以外のシステムの捕捉を試みることを控えることをさらに備える、請求項１の方法。
【請求項４】
前記優先システムの捕捉の失敗に応答して、別の優先システムを捕捉することを試みることをさらに備える、請求項１の方法。
【請求項５】
前記ファイルを受信することが、優先ローミングリスト（ＰＲＬ）と、パブリックランドモバイルネットワーク（ＰＬＭＮ）データベースと、ＰＲＬおよびＰＬＭＮデータベースのうちの少なくとも１つを選択するように構成されたオーバーレイアルゴリズムと、のうちの少なくとも１つを受信することを備える、請求項１の方法。
【請求項６】
前記ファイルを受信することが、前記システムの識別パラメータを含むシステムテーブルを受信することを備え、各識別パラメータが、前記システムのうちの所与の１つのシステム識別子（ＳＩＤ）とネットワーク識別子（ＮＩＤ）とのうちの少なくとも一方を備える、請求項５の方法。
【請求項７】
前記ファイルを受信することが、前記システムの識別パラメータを含むシステムテーブルを受信することを備え、各識別パラメータが、前記システムのうちの所与の１つのモバイル国名コード（ＭＣＣ）とモバイルネットワークコード（ＭＮＣ）とのうちの少なくとも一方を備える、請求項５の方法。
【請求項８】
前記ファイルを受信することが、前記システムの識別パラメータを含むシステムテーブルを受信することを備え、各識別パラメータが、前記システムのうちの所与の１つのサブネットＩＤを備える、請求項５の方法。
【請求項９】
前記ファイルを受信することが、前記システムの前記優先パラメータを含むシステムテーブルを受信することを備え、各優先パラメータが、前記システムのうちの所与の１つのＰＲＥＦ＿ＯＮＬＹフィールドを備える、請求項５の方法。
【請求項１０】
前記ファイルを受信することが、前記システムの捕捉のための周波数のインデックス付きリストを含む捕捉テーブルを受信することを備える、請求項５の方法。
【請求項１１】
システム選択ファイルを受信するように適合された受信機であって、前記ファイルは、複数の通信システム用の優先パラメータおよび捕捉パラメータを備え、前記システムは、アクセスポイント（ＡＰ）基地局を備える受信器と、
優先システムとして前記ＡＰ基地局を特定するように設定された前記優先パラメータのうちの所与の１つに応答して、前記ＡＰ基地局の捕捉を試みるために対応する捕捉パラメータを利用するように適合された少なくとも１つのプロセッサと、
を備える通信デバイス。
【請求項１２】
前記少なくとも１つのプロセッサが、非優先システムの捕捉を試みることを控えるように適合された、請求項１１のデバイス。
【請求項１３】
前記少なくとも１つのプロセッサが、前記ＡＰ基地局以外のシステムの捕捉を試みることを控えるように適合された、請求項１１のデバイス。
【請求項１４】
前記少なくとも１つのプロセッサが、フェムトセルへのアクセスを促進するように適合された、請求項１１のデバイス。
【請求項１５】
前記少なくとも１つのプロセッサが、前記優先システムの捕捉の失敗に応答して、別の優先システムを捕捉することを試みるように適合された、請求項１１のデバイス。
【請求項１６】
前記ファイルが、優先ローミングリスト（ＰＲＬ）と、パブリックランドモバイルネットワーク（ＰＬＭＮ）データベースと、ＰＲＬおよびＰＬＭＮデータベースのうちの少なくとも１つを選択するように構成されたオーバーレイアルゴリズムと、のうちの少なくとも１つを備える、請求項１１のデバイス。
【請求項１７】
前記ファイルが、前記システムの識別パラメータを含むシステムテーブルを備える、請求項１６のデバイス。
【請求項１８】
前記識別パラメータが、前記システムのうちの所与の１つのシステム識別子（ＳＩＤ）とネットワーク識別子（ＮＩＤ）とのうちの少なくとも一方を備える、請求項１７のデバイス。
【請求項１９】
前記識別パラメータが、前記システムのうちの所与の１つの、モバイル国名コード（ＭＣＣ）とモバイルネットワークコード（ＭＮＣ）とのうちの少なくとも一方を備える、請求項１７のデバイス。
【請求項２０】
前記識別パラメータが、前記システムのうちの所与の１つのサブネットＩＤを備える、請求項１７のデバイス。
【請求項２１】
前記システムテーブルが、前記システムの前記優先パラメータを備える、請求項１７のデバイス。
【請求項２２】
各優先パラメータが、前記システムのうちの所与の１つのＰＲＥＦ＿ＯＮＬＹフィールドを備える、請求項２１のデバイス。
【請求項２３】
前記優先パラメータのうちの少なくとも１つが、前記システムのサブセットのＰＲＥＦ＿ＯＮＬＹフィールドを備える、請求項２１のデバイス。
【請求項２４】
前記ファイルが、前記システムの捕捉のための周波数のインデックス付きリストを備える捕捉テーブルをさらに備える、請求項１７のデバイス。
【請求項２５】
各システムテーブルエントリが、前記捕捉テーブル中にリストアップされた少なくとも１つの前記周波数を参照する捕捉インデックスを備える、請求項２４のデバイス。
【請求項２６】
前記受信機および前記少なくとも１つのプロセッサと通信動作するメモリユニットであって、前記メモリユニットは、前記ファイルを格納するように適合されたメモリユニットをさらに備える、請求項１１のデバイス。
【請求項２７】
ファイルを受信するための手段であって、前記ファイルは、複数の通信システム用の優先パラメータおよび捕捉パラメータを備え、前記システムは、アクセスポイント（ＡＰ）基地局を備える手段と、
優先システムとして前記ＡＰ基地局を特定するように設定された前記優先パラメータのうちの所与の１つに応答して、前記ＡＰ基地局の捕捉を試みるために対応する捕捉パラメータを利用するための手段と、
を備える装置。
【請求項２８】
前記利用するための手段が、非優先システムの捕捉を試みることを控えるための手段を備える、請求項２７の装置。
【請求項２９】
前記利用するための手段が、前記ＡＰ基地局以外のシステムの捕捉を試みることを控えるための手段を備える、請求項２７の装置。
【請求項３０】
前記優先システムの捕捉の失敗に応答して、別の優先システムを捕捉するための手段をさらに備える、請求項２７の装置。
【請求項３１】
前記ＡＰ基地局の捕捉がフェムトセルへのアクセスを促進する、請求項２７の装置。
【請求項３２】
前記ファイルが、優先ローミングリスト（ＰＲＬ）と、パブリックランドモバイルネットワーク（ＰＬＭＮ）データベースと、ＰＲＬおよびＰＬＭＮデータベースのうちの少なくとも１つを選択するように構成されたオーバーレイアルゴリズムと、のうちの少なくとも１つを備える、請求項２７の装置。
【請求項３３】
前記ファイルが、前記システムの識別パラメータを含むシステムテーブルを備える、請求項３２の装置。
【請求項３４】
前記識別パラメータが、前記システムのうちの所与の１つの、システム識別子（ＳＩＤ）とネットワーク識別子（ＮＩＤ）とのうちの少なくとも一方を備える、請求項３３の装置。
【請求項３５】
前記識別パラメータが、前記システムのうちの所与の１つの、モバイル国名コード（ＭＣＣ）とモバイルネットワークコード（ＭＮＣ）とのうちの少なくとも一方を備える、請求項３３の装置。
【請求項３６】
前記識別パラメータが、前記システムのうちの所与の１つのサブネットＩＤを備える、請求項３３の装置。
【請求項３７】
前記システムテーブルが、前記システムの前記優先パラメータを備える、請求項３３の装置。
【請求項３８】
各優先パラメータが、前記システムのうちの所与の１つのＰＲＥＦ＿ＯＮＬＹフィールドを備える、請求項３７の装置。
【請求項３９】
前記優先パラメータのうちの少なくとも１つが、前記システムのサブセットのＰＲＥＦ＿ＯＮＬＹフィールドを備える、請求項３７の装置。
【請求項４０】
前記ファイルが、前記システムの捕捉のための周波数のインデックス付きリストを備える捕捉テーブルを、さらに備える、請求項３３の装置。
【請求項４１】
各システムテーブルエントリが、前記捕捉テーブル中にリストアップされた少なくとも１つの前記周波数を参照する捕捉インデックスを備える、請求項４０の装置。
【請求項４２】
前記ファイルを格納するための手段をさらに備える、請求項２７の装置。
【請求項４３】
システム選択ファイルを受信することをコンピュータに行わせるためのコードであって、前記ファイルは、複数の通信システム用の優先パラメータおよび捕捉パラメータを備え、前記システムは、アクセスポイント（ＡＰ）基地局を備えるコードと、
優先システムとして前記ＡＰ基地局を特定するように設定された前記優先パラメータのうちの所与の１つに応答して、前記ＡＰ基地局の捕捉を試みるために対応する捕捉パラメータを利用することをコンピュータに行わせるためのコードと、
を備えるコンピュータ可読媒体
を備えるコンピュータプログラム製品。
【請求項４４】
前記ファイルが、優先ローミングリスト（ＰＲＬ）と、パブリックランドモバイルネットワーク（ＰＬＭＮ）データベースと、ＰＲＬおよびＰＬＭＮデータベースのうちの少なくとも１つを選択するように構成されたオーバーレイアルゴリズムと、のうちの少なくとも１つを備える、請求項４３のコンピュータプログラム製品。
【請求項４５】
前記ファイルが、前記システムの識別パラメータを含むシステムテーブルを備える、請求項４４のコンピュータプログラム製品。
【請求項４６】
前記識別パラメータが、前記システムのうちの所与の１つの、システム識別子（ＳＩＤ）とネットワーク識別子（ＮＩＤ）とのうちの少なくとも一方を備える、請求項４５のコンピュータプログラム製品。
【請求項４７】
前記識別パラメータが、前記システムのうちの所与の１つの、モバイル国名コード（ＭＣＣ）とモバイルネットワークコード（ＭＮＣ）とのうちの少なくとも一方を備える、請求項４５のコンピュータプログラム製品。
【請求項４８】
前記識別パラメータが、前記システムのうちの所与の１つのサブネットＩＤを備える、請求項４５のコンピュータプログラム製品。
【請求項４９】
前記システムテーブルが、前記システムの前記優先パラメータを含む、請求項４５のコンピュータプログラム製品。
【請求項５０】
各優先パラメータが、前記システムのうちの所与の１つのＰＲＥＦ＿ＯＮＬＹフィールドを備える、請求項４９のコンピュータプログラム製品。
【請求項５１】
前記優先パラメータのうちの少なくとも１つが、前記システムのサブセットのＰＲＥＦ＿ＯＮＬＹフィールドを備える、請求項４９のコンピュータプログラム製品。
【請求項５２】
前記ファイルが、捕捉テーブルをさらに備え、前記補足テーブルは、前記システムの捕捉のための周波数のインデックス付きリストを備える、請求項４５のコンピュータプログラム製品。
【請求項５３】
各システムテーブルエントリが、前記捕捉テーブル中にリストアップされた少なくとも１つの前記周波数を参照する捕捉インデックスを備える、請求項５２のコンピュータプログラム製品。
【発明の詳細な説明】
【技術分野】
【０００１】
米国特許法第１１９条に基づく優先権の主張
本特許出願は、本出願の譲受人に譲渡され、参照により本明細書に明白に組み込まれる、２００７年１０月１２日に出願された「SYSTEM AND METHOD TO FACILITATE ACQUISITION OF ACCESS POINT BASE STATIONS」と題する仮出願第６０／９７９，７９６号の優先権を主張する。
【０００２】
本出願は、一般にワイヤレス通信に関し、より詳細には、他のアクセス端末がアクセスポイント（ＡＰ）基地局を捕捉しようと試みることを防ぎながら、関連するアクセス端末がそのＡＰ基地局を捕捉することを可能にするためのシステムおよび方法に関する。
【背景技術】
【０００３】
ワイヤレス通信システムは、様々なタイプの通信（たとえば、音声、データ、マルチメディアサービスなど）を複数のユーザに提供するために広く配備されている。高速なマルチメディアデータサービスの需要が急速に増大するにつれて、向上した性能をもつ効率的で堅牢な通信システムを実装することが課題となっている。これらのシステムは、利用可能なシステムリソースを共有することによって複数のユーザとの通信をサポートすることが可能な多元接続システムを含むことができる。そのような多元接続システムの例には、符号分割多元接続（Code Division Multiple Access；ＣＤＭＡ）システム、時分割多元接続（Time Division Multiple Access；ＴＤＭＡ）システム、および周波数分割多元接続（Frequency Division Multiple Access；ＦＤＭＡ）システムがある。ＣＤＭＡシステムは、ｃｄｍａ２０００または広帯域ＣＤＭＡ（Wideband-CDMA；Ｗ−ＣＤＭＡ；登録商標）などの無線アクセス技術（radio access technology；ＲＡＴ）を実装することができる。ｃｄｍａ２０００は、よく知られているＩＳ−２０００、ＩＳ−８５６、およびＩＳ−９５規格をカバーする。
【０００４】
ＩＳ−２０００およびＩＳ−９５は、ボイスサービスとデータサービスの両方をサポートし、一般に「１ｘ−ＥＶ−ＤＶ」、または単に「１ｘ」と呼ばれ、ここでＤＶは「データおよびボイス（data and voice）」を表す。１ｘをサポートするワイヤレスデバイス（たとえば、セルラー電話）は、一般に、優先ローミングリスト（preferred roaming list；ＰＲＬ）を維持する。ＰＲＬは、特にワイヤレスデバイスがローミングしているときに、ワイヤレスデバイスが１ｘシステム上でシステム選択および捕捉を実行するのを支援するための情報を含んでいる。ＰＲＬは、ワイヤレスデバイスが使用すべき「許可された」システムと、（随意に）ワイヤレスデバイスが使用してはならない「禁止された」システムとを特定する。１ｘシステム用のＰＲＬフォーマットは、公に入手可能な、「Over-the-Air Service Provisioning of Mobile Stations in Spread Spectrum Standards」、１９９８年６月と題する文書ＴＩＡ／ＥＩＡ／ＩＳ−６８３−Ａに記載されている。
【０００５】
ＩＳ−８５６は、パケットデータサービスをサポートし、一般に「１ｘＥＶ−ＤＯ」と呼ばれ、ここでＤＯは「最適化されるデータ（data optimized）」を表す。１ｘＥＶ−ＤＯをサポートするワイヤレスデバイスはまた、１ｘＥＶ−ＤＯシステム上でのシステム選択および捕捉のためにＰＲＬを維持する。１ｘＥＶ−ＤＯ用のＰＲＬフォーマットは、同じく公に入手可能な、「Over-the-Air Service Provisioning of Mobile Stations in Spread Spectrum Standards」、２００２年１０月２５日と題する文書ＴＩＡ／ＥＩＡ／ＩＳ−６８３−Ｃに記載されている。ＩＳ−６８３−Ｃは、（１）ＩＳ−６８３−Ａによって定義されたＰＲＬフォーマットのアップデートバージョンであり、１ｘシステムに使用され得るＰＲＬフォーマットと、（２）１ｘシステムと１ｘＥＶ−ＤＯシステムの両方に使用され得る拡張ＰＲＬフォーマットとを記載している。
【０００６】
１ｘおよび１ｘＥＶ−ＤＯでは、ワイヤレスデバイスは、システム選択および捕捉のためにＰＲＬを維持する。ワイヤレスデバイスは、たとえば、製造または起動中に、リニアインターフェース、ユニバーサルシリアルバス（Universal Serial Bus；ＵＳＢ）インターフェース、または何らかの他のタイプのインターフェースを介してＰＲＬを用いてプログラムされ得る。ワイヤレスデバイスは、無線シグナリングを介して、またはワイヤレスデバイス中に挿入され得る取外し可能モジュールである取外し可能加入者情報モジュール（Removable User Identity Module；Ｒ−ＵＩＭ）から、ＰＲＬを取得することもできる。ワイヤレスデバイスは、電力がオフにされているときでもＰＲＬが保持されるように、ＰＲＬを不揮発性メモリ中に格納することができる。不揮発性メモリは、ワイヤレスデバイス内か、または取外し可能モジュール中に配置され得る。
【０００７】
そのようなＰＲＬは、ワイヤレスデバイスにプレインストールされるか配置されるかにかかわらず、ワイヤレスデバイスがどのシステム／ネットワークの基地局に関連することができるかを制御する情報を含む。基地局（１ｘ用語）は、固定局を指し、送受信基地局（base transceiver station；ＢＴＳ）、アクセスポイント（１ｘＥＶ−ＤＯ用語）、ノードＢ（Ｗ−ＣＤＭＡ用語）、または何らかの他の用語で呼ばれることもある。ワイヤレスデバイスは、移動局（１ｘ用語）、ユーザ／アクセス端末もしくはＡＴ／ＨＡＴ（１ｘＥＶ−ＤＯ用語）、ユーザ機器（user equipment；ＵＥ）（Ｗ−ＣＤＭＡ用語）、モバイル機器（mobile equipment；ＭＥ）（同じくＷ−ＣＤＭＡ用語）、ハンドセット、加入者ユニット、または何らかの他の用語で呼ばれることもあることに留意されたい。
【０００８】
最近、ユーザの住宅に設置し、既存の広帯域インターネット回線を使用してモバイルユニットに屋内のワイヤレスカバレッジを提供することができる新しい種類の小型基地局が現れている。そのようなパーソナル小型基地局は、アクセスポイント（access point；ＡＰ）基地局として一般に知られ、ホームノードＢ（Home Node B；ＨＮＢ）ユニット、フェムトセル、フェムト基地局（femto base station；ｆＢＳ）、基地局、または何らかの他の用語で呼ばれる。一般に、そのようなＡＰ基地局は、デジタル加入者回線（digital subscriber line；ＤＳＬ）ルータまたはケーブルモデムを介してインターネットおよびモバイル事業者のネットワークに接続され、フェムトネットワーク（すなわち、ＡＰ基地局またはフェムトセルのネットワーク）とも呼ばれる小規模ネットワーク環境を可能にする。
【０００９】
ＡＰ基地局は、マクロネットワーク（すなわち、非フェムトセルのネットワーク）からの通常の基地局サポートからのカバレッジが弱いかまたは利用できない場所（たとえば、屋内、遠隔地など）での、セルラーアクセスを可能にする。ＡＰ基地局は、デジタル加入者回線（ＤＳＬ）、ケーブルインターネットアクセス、Ｔ１／Ｔ３といったブロードバンドバックホールリンクを介してワイヤレスサービスプロバイダに接続し、送受信基地局（base transceiver station；ＢＴＳ）技術、無線ネットワークコントローラ、およびゲートウェイサポートノードサービスといった典型的な基地局機能を提供する、小型基地局として説明され得る。このことは、本明細書においてアクセス端末（access terminal；ＡＴ）と呼ぶワイヤレスデバイスが、ＡＰ基地局に接続し、ワイヤレスサービスを利用することを可能にする。ＡＴは、たとえば、セルラー電話、スマートフォン、ラップトップ、ハンドヘルド通信デバイス、ハンドヘルドコンピューティングデバイス、衛星ラジオ、ナビゲーション機器、ＰＤＡ、および／またはワイヤレス通信システムを介して通信するための他の適切なデバイスを含むことができることに留意されたい。
【００１０】
ＡＰ基地局の所有者は、一般に、彼／彼女のＡＰ基地局へのアクセスを、たとえば、彼／彼女のＡＴおよび彼／彼女がアクセスを明確に許可したＡＴといった、そのＡＰ基地局に関連するＡＴに制限する。時々、ビジターＡＴ（すなわち、いかなるＡＰ基地局にも関連しないＡＴ、または現在、関連するＡＰ基地局のサービスエリア内にないＡＴ）は、そのビジターＡＴが関連しない所与のＡＰ基地局のサービスエリアに入ることができる。いくつかの状況では、ビジターＡＴは、ＡＰ基地局上で動作することが許可されていないにもかかわらず、そのＡＰ基地局を捕捉しようと試みることを繰り返し行うことがある。したがって、使用を許可されていない他のＡＰ基地局の捕捉を試みることを控えながら、使用を許可されたＡＰ基地局の捕捉を試みるようにＡＴをプログラムするかまたは適合させる技術が必要である。
【発明の概要】
【００１１】
以下、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を特定するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【００１２】
１つまたは複数の実施形態およびその対応する開示に従って、様々な態様は、効率的なフェムトシステム選択のために構成されたシステム選択ファイルの実装によってアクセスポイント（access point；ＡＰ）基地局の選択および捕捉を促進することに関して述べられている。システム選択ファイルは、優先ローミングリスト（preferred roaming list；ＰＲＬ）と、パブリックランドモバイルネットワーク（public land mobile network；ＰＬＭＮ）データベースと、ＰＲＬおよびＰＬＭＮデータベースのうちの少なくとも１つを選択するように構成されたオーバーレイアルゴリズムとを含むことができる。
【００１３】
システム選択ファイルを使用する１つの目的は、ホームフェムトセルユーザが、優先フェムトセルとしてホームフェムトセルを簡潔にリストアップでき、たとえば、同じシステム識別子（system identifier；ＳＩＤ）を有するが異なるネットワーク識別子（network identifier；ＮＩＤ）を有することがある他の異なるフェムトセルを回避できるようにすることであることに留意されたい。既存のシステム選択ファイル、たとえば、ＰＲＬでは、ＰＲＥＦ＿ＯＮＬＹフラグ／フィールドは、ＡＴが、ＰＲＬ中で定義されたシステムのみにキャンプできるようにされたことを示すグローバルフラグである。ＰＲＥＦ＿ＯＮＬＹフラグはＰＲＬ全体調べられるので、典型的なＰＲＬ構成は、このフラグをオペレータとして設定するのを避け、慎重な手法をとり、ＡＴ、ＰＲＬ中にリストアップされたシステムを発見することができないときは、ＡＴが一般に、ＰＲＬ中にリストアップされていないシステムにキャンプできるようにする。ＰＲＬ中に記載されたシステムのうちのどのサブセットを選択し、捕捉すべきかを設定する際に所望の柔軟性を可能にするためには、ＰＲＬは、異なるフェムトセルとの登録の試みを回避するために、あらゆる異なるフェムトセルを、否定システムとして（たとえば、ＰＲＥＦ＿ＮＥＧフィールドを「０」に設定することによって）ＰＲＬ中に記載しなければならないであろう。対照的に、本技術は、サブセットファイルまたはシステム選択ファイル中にリストアップされたシステムのうちの１つに適用されるローカルフラグを用いて優先システムを特定することを含む。
【００１４】
１つの手法では、優先ＡＰ基地局を選択するための方法は、複数の許可された通信システム用の優先パラメータと捕捉パラメータとを含むシステム選択ファイルを受信することを含む。システムは、少なくとも１つのＡＰ基地局またはフェムトセルを含むことができる。たとえば、システムは、フェムトネットワーク用の１つまたは複数のＡＰ基地局と、マクロネットワーク用の１つまたは複数のマクロ基地局とを含むことができる。
【００１５】
一例では、システム選択ファイル（たとえば、ＰＲＬ）は、システムテーブルを含み、システムテーブルは、許可されたシステムの識別パラメータを含むことができる。識別パラメータは、１つまたは複数のＳＩＤ、および／または１つまたは複数のＮＩＤを含むことができる。システムテーブル中の各３ＧＰＰ２  １ｘＲＴＴシステムは、ＳＩＤ／ＮＩＤペア、またはモバイル国名コード／モバイルネットワークコード（Mobile Country Code/Mobile Network Code；ＭＣＣ／ＭＮＣ）ペアによってキーイングされ得る。システムテーブル中の各２ＧＰＰ２  ＥＶ−ＤＯシステムは、サブネットＩＤを使用して特定され得る。
【００１６】
システムテーブルはシステムの優先パラメータを含むことができる。システムテーブル中の各エントリは、所与のシステムに対するＰＲＥＦ＿ＯＮＬＹフィールドを含むことができる。システム選択ファイルは捕捉テーブルを含み、捕捉テーブルは、システムの捕捉のための周波数のインデックス付きリストを含むことができる。各システムテーブルエントリは、捕捉テーブル中に記載された少なくとも１つの周波数を参照する捕捉インデックスを含むことができる。
【００１７】
関連する態様によれば、本方法は、所与のＡＰ基地局を優先システムとして特定するように設定された優先パラメータのうちの所与の１つに応答して、所与のＡＰ基地局の捕捉を試みるために対応する捕捉パラメータを利用することを含むことができる。本方法は、非優先システム、および／または所与のＡＰ基地局以外のシステムの捕捉を試みることを含むかまたは控え、それにより、所与のアクセス端末（ＡＴ）が動作することが許可されていないＡＰ基地局を捕捉しようと試みることを繰り返し行うことを回避できるようにする。本方法はさらに、優先システムの捕捉の失敗に応答して、別の優先システムを選択し、捕捉することを試みることを含むことができる。
【００１８】
さらなる関連する態様によれば、（たとえば、フェムトセルおよびマクロセルを含む）複数の通信システム用の優先パラメータと捕捉パラメータとを含むシステム選択ファイルを受信するように適合された受信機などをもつ装置が提供される。この装置は、所与のＡＰ基地局を優先システムとして特定するように設定された優先パラメータのうちの所与の１つに応答して、所与のＡＰ基地局の捕捉を試みるために対応する捕捉パラメータを利用するための少なくとも１つのプロセッサなどを備えることができる。
【００１９】
上記および関連する目的を達成するために、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を使用する様々な方法のほんのいくつかを示すものであり、説明する実施形態は、すべてのそのような態様およびそれらの均等物を含むものとする。
【図面の簡単な説明】
【００２０】
【図１Ａ】図１Ａは、例示的なワイヤレス通信システムを示す図である。
【図１Ｂ】図１Ｂは、２つのＣＤＭＡネットワークを示す図である。
【図１Ｃ】図１Ｃは、ＩＳ−６８３−ＡおよびＩＳ−６８３−Ｃによって使用されるＰＲＬの構造を示す図である。
【図１Ｄ】図１Ｄは、ＩＳ−６８３−Ａによって定義されたＰＲＬを含むファイルを示す図である。
【図１Ｅ】図１Ｅは、ＩＳ−６８３−Ｃによって定義された拡張ＰＲＬを含むファイルを示す図である。
【図２】図２は、本明細書に記載の１つまたは複数の態様によるワイヤレス通信システムを示す図である。
【図３】図３は、本明細書に記載の１つまたは複数の態様によるネットワーク環境内でアクセスポイント（ＡＰ）基地局の配備を可能にするための例示的な通信システムを示す図である。
【図４】図４は、本明細書に記載の態様によるシステム選択ファイルの一実施形態を示す図である。
【図５】図５は、システム選択ファイルを含む例示的なファイルを示す図である。
【図６】図６は、拡張システム選択ファイルを含む例示的なファイルを示す図である。
【図７】図７は、本明細書に記載の態様によるシステム選択ファイルの別の実施形態を示す図である。
【図８Ａ】図８Ａは、１つまたは複数のＡＰ基地局の捕捉を可能にするための方法の一実施形態を示す図である。
【図８Ｂ】図８Ｂは、図８Ａに示す方法のいくつかの例示的な態様を示す図である。
【図９Ａ】図９Ａは、１つまたは複数のＡＰ基地局の捕捉を可能にするための装置の一実施形態を示す図である。
【図９Ｂ】図９Ｂは、図９Ａに示す装置のいくつかの例示的な態様を示す図である。
【図１０】図１０は、例示的なＡＴのブロック図である。
【発明を実施するための形態】
【００２１】
ここで、図面を参照しながら様々な実施形態が記載されているが、全体にわたって同様の参照符号は、同様の要素を指すのに使用される。以下の記述では、説明の目的で、１つまたは複数の実施形態の完全な理解を与えるために、多数の具体的な詳細が記載されている。ただし、そのような（１つまたは複数の）実施形態は、これらの具体的な詳細なしに実施され得ることは明らかであろう。他の例では、１つまたは複数の実施形態の説明を円滑にするために、よく知られた構造およびデバイスは、ブロック図の形態で示されている。
【００２２】
図１は、様々な開示される実施形態および態様を実装され得る、いくつかのユーザをサポートするように構成された例示的なワイヤレス通信システム１００を示す。図１に示すように、例として、システム１００は、たとえばマクロセル１０２ａ〜１０２ｇといった、複数のセル１０２の通信を提供し、各セルは、（ＡＰ１０４ａ〜１０４ｇといった）対応するアクセスポイント（access point；ＡＰ）１０４によってサービスされる。各セルは、さらに１つまたは複数のセクタに分割できる。ユーザ機器（user equipment；ＵＥ）としても置き換えられ知られるＡＴ１０６ａ〜１０６ｋを含む様々なアクセス端末（access terminals；ＡＴ）１０６が、システム全体に分散される。各ＡＴ１０６は、たとえば、そのＡＴがアクティブであるかどうか、およびそのＡＴがソフトハンドオフ中であるかどうかに応じて、所与の時点において順方向リンク（forward link；ＦＬ）および／または逆方向リンク（reverse link；ＲＬ）を介して１つまたは複数のＡＰ１０４と通信することができる。ワイヤレス通信システム１００は、大きい地理的領域にわたってサービスを提供することができ、たとえば、マクロセル１０２ａ〜１０２ｇは近傍の数ブロックをカバーすることができる。
【００２３】
次に図１Ｂを参照すると、同じまたは異なる地理的領域中に配備され得る２つのＣＤＭＡネットワーク１０７および１０９が示されている。各ＣＤＭＡネットワークは、１ｘネットワーク、１ｘＥＶ−ＤＯネットワーク、または何らかの他のタイプのネットワークであり得る。各ＣＤＭＡネットワークは、１つまたは複数のシステムを含み、各システムは、１つまたは複数のより小さいネットワークをさらに含む。１ｘネットワークの各システムは、システム識別（system identification；ＳＩＤ）値によって特定され、各１ｘシステムのそれぞれのより小さいネットワークは、ネットワーク識別（network identification；ＮＩＤ）値によって特定される。１ｘＥＶ−ＤＯにおけるシステムおよびネットワークは、最高１２８ビット長であり得て、「Internet Protocol, Version 6 (IPv6) Specification」、１９９８年１２月と題するＲＦＣ２４６０に記載のＩＰｖ６表現フォーマットに従うことができるサブネットＩＤを使用して特定される。ＣＤＭＡネットワーク１０７および１０９は、一般にそれぞれ、これらのＣＤＭＡネットワークのサービスエリア内のワイヤレスデバイス１２０および１２２の通信をそれぞれサポートする多数の基地局１１０および１１２を含む。簡単のために、図１Ｂには各ＣＤＭＡネットワークに３つの基地局のみを示している。ワイヤレスデバイス１２０および１２２は、それぞれＣＤＭＡネットワーク１０７および１０９のサービスエリア全体にわたって配置されている。モバイル交換局（mobile switching centers；ＭＳＣ）１３０および１３２は、それぞれＣＤＭＡネットワーク１０７および１０９中の基地局のための調整および制御を行う。
【００２４】
図１Ｃは、ＩＳ−６８３−ＡおよびＩＳ−６８３−Ｃによって使用される構造を有する優先ローミングリスト（preferred roaming list；ＰＲＬ）１４０を図式的に示す。ＰＲＬ１４０は、システムテーブル１５０および捕捉テーブル１６０を含む。システムテーブル１５０は、地理的領域インジケータ（geographical region indicators；ＧＥＯ）などを介して地理的エリアによって編成される、許可されたおよび禁止されたシステム／ネットワークのリストを含む。明快のために、図１Ｃは、それぞれのタブ付きテーブルによって表される各地理的エリアを示す。各タブ付きテーブルは、ワイヤレスデバイスがアクセスすべき優先システム／ネットワーク用のセクション１５２と、ワイヤレスデバイスがアクセスしてはならない禁制システム／ネットワーク用のセクション１５４とを含む。各タブ付きテーブルはまた、ＰＲＬ１４０全体に適用されるグローバルフラグ１５３（たとえば、ＰＲＥＦ＿ＯＮＬＹフィールド／タグ）も含む。
【００２５】
システムテーブル１５０および捕捉テーブル１６０は、１ｘおよび１ｘＥＶ−ＤＯの異なるフォーマットを有する。図１Ｃは、１ｘ用に使用されるＰＲＬフォーマットを示す。各地理的エリアについてのタブ付きテーブルは、（１）地理的エリア中の１つまたは複数のシステム／ネットワーク用の１つまたは複数のレコードと、（２）各レコードの関連情報用の複数のフィールドとを含む。これらのフィールドは、システムフィールドと、選択優先フィールドと、ローミングインジケータフィールドと、捕捉インデックスフィールドとを含む。レコードごとに、システムフィールドは、そのレコードに関連するシステム／ネットワークに割り当てられた（ＳＩＤ、ＮＩＤ）ペアを格納する。選択優先フィールドは、同じ地理的エリア内で許可されたシステム／ネットワークのすべての間での関連するシステム／ネットワークの優先権を示す。ネットワーク事業者は、一般に優先権を指定する。ローミングインジケーションフィールドは、関連するシステム／ネットワークから信号を受信するとき、ワイヤレスデバイス上のローミングインジケータは、どのように表示されるべきかを指定する。捕捉インデックスフィールドは、関連するシステム／ネットワークを捕捉するために使用すべきパラメータを含む捕捉テーブル１６０中の特定のレコードを指し示すインデックス値を記憶する。捕捉テーブル１６０は、一意のインデックス値ごとに１つのレコードを含む。各捕捉レコードは、システム捕捉のために使用される様々なパラメータ用の複数のフィールドを含む。種々のタイプのシステム用の捕捉レコードは、異なるフォーマットを有する。
【００２６】
図１Ｃは、１ｘで使用されるＰＲＬの図を示す。後述のように、１ｘＥＶ−ＤＯで使用されるＰＲＬは異なるフォーマットを有する。１ｘと１ｘＥＶ−ＤＯの両方において、ＰＲＬ情報は一般にファイルとして格納される。
【００２７】
図１Ｄは、ＩＳ−６８３−Ａによって定義されたフォーマットにおけるＰＲＬを含むファイル１７０を示す。ＰＲＬは、図１Ｄに示されたいくつかのフィールドを含む。ＰＲ＿ＬＩＳＴ＿ＳＩＺＥフィールドは、ＰＲＬの合計サイズを（オクテットまたはバイト単位で）示す。ＮＵＭ＿ＡＣＱ＿ＲＥＣＳフィールドは、捕捉テーブル中のレコード（すなわち、捕捉レコード）の数を示す。ＮＵＭ＿ＳＹＳ＿ＲＥＣＳフィールドは、システムテーブル中のレコード（すなわち、システムレコード）の数を示す。ＡＣＱ＿ＴＡＢＬＥフィールドは、捕捉テーブル１６０のレコードのすべてを含む。ＳＹＳ＿ＴＡＢＬＥフィールドは、システムテーブル１５０のレコードのすべてを含む。ＰＲ＿ＬＩＳＴ＿ＣＲＣフィールドは、ＰＲ＿ＬＩＳＴ＿ＣＲＣフィールドを除くＰＲＬのすべてのフィールドに対して計算される１６ビットのＣＲＣ値をもつ。ＰＲＬの他のフィールドはＩＳ−６８３−Ａ文書に記載されている。
【００２８】
図１Ｄはまた、ＩＳ−６８３−Ａによって定義されたシステムレコードのフォーマットを示す。ＳＩＤフィールドは、レコードに関連するシステムのＳＩＤ値を含む。ＮＩＤ＿ＩＮＣＬフィールドは、レコードがＮＩＤを含むかどうかを示す。ＮＩＤフィールド（存在する場合）は、レコードに関連するネットワークのＮＩＤ値を含む。ＡＣＱ＿ＩＮＤＥＸフィールドは、関連するシステムの捕捉パラメータを含む捕捉レコードのインデックスを含む。システムレコードの他のフィールドは、ＩＳ−６８３−Ａ文書に記載されている。
【００２９】
ＩＳ−６８３−Ｃは、ＰＲＬフォーマットおよび拡張ＰＲＬフォーマットという２つのＰＲＬフォーマットを定義している。ＩＳ−６８３−ＣのＰＲＬフォーマットは、ＩＳ−６８３−ＡのＰＲＬフォーマットと同様に、１ｘシステムのＰＲＬ情報を伝達するために使用され得る。ＩＳ−６８３−Ｃの拡張ＰＲＬフォーマットは、ＩＳ−６８３−ＡのＰＲＬフォーマットとは異なり、１ｘシステムと１ｘＥＶ−ＤＯシステムの両方のＰＲＬ情報を伝達するために使用され得る。
【００３０】
図１Ｅは、ＩＳ−６８３−Ｃによって定義されたフォーマットの拡張ＰＲＬを含むファイル１８０を示す。拡張ＰＲＬは、図１Ｅに示されたいくつかのフィールドを含む。ＰＲ＿ＬＩＳＴ＿ＳＩＺＥフィールドは、拡張ＰＲＬの合計サイズを示す。ＣＵＲ＿ＳＳＰＲ＿Ｐ＿ＲＥＶフィールドは、ＰＲＬのパース規則を決定する、優先ローミングのためのシステム選択（System Selection for Preferred Roaming；ＳＳＰＲ）ダウンロード手順のプロトコル改訂を示す。ＮＵＭ＿ＡＣＱ＿ＲＥＣＳフィールドは、拡張捕捉テーブル中のレコード（すなわち、拡張捕捉レコード）の数を示す。ＮＵＭ＿ＳＹＳ＿ＲＥＣＳフィールドは、拡張システムテーブル中のレコード（すなわち、拡張システムレコード）の数を示す。ＮＵＭ＿ＣＯＭＭＯＮ＿ＳＵＢＮＥＴ＿ＲＥＣＳフィールドは、共通のサブネットテーブル中のレコードの数を示す。この共通のサブネットテーブルは、サブネットＩＤの共通の部分を含む。共通のサブネットプレフィックスを、システムテーブル中に何回もリストアップする代わりに、共通のサブネットテーブル中に１回だけリストアップすることによって、ＰＲＬ圧縮は達成され得る。ＥＸＴ＿ＡＣＱ＿ＴＡＢＬＥフィールドは、拡張捕捉テーブルのレコードのすべてを含む。ＣＯＭＭＯＮ＿ＳＵＢＮＥＴ＿ＴＡＢＬＥフィールドは、共通のサブネットテーブルのレコードのすべてを含む。ＥＸＴ＿ＳＹＳ＿ＴＡＢＬＥフィールドは、拡張システムテーブルのレコードのすべてを含む。ＰＲ＿ＬＩＳＴ＿ＣＲＣフィールドは、ＰＲ＿ＬＩＳＴ＿ＣＲＣフィールドを除く拡張ＰＲＬのすべてのフィールドに対して計算される１６ビットのＣＲＣ値をもつ。拡張ＰＲＬの他のフィールドは、ＩＳ−６８３−Ｃ文書に記載されている。
【００３１】
図１Ｅはまた、ＩＳ−６８３−Ｃによって定義された拡張システムレコードのフォーマットを示す。ＳＹＳ＿ＲＥＣＯＲＤ＿ＬＥＮＧＴＨフィールドは、拡張システムレコードの長さを示す。ＳＹＳ＿ＲＥＣＯＲＤ＿ＴＹＰＥフィールドは、レコードが１ｘ用であるかまたは１ｘＥＶ−ＤＯ用であるかを示す。タイプ固有システムＩＤレコードは、ＳＹＳ＿ＲＥＣＯＲＤ＿ＴＹＰＥフィールドで示されたシステムタイプに固有である情報を含む。たとえば、システムＩＤレコードは、１ｘのＳＩＤおよびＮＩＤ情報と、１ｘＥＶ−ＤＯのサブネット情報とを含む。ＡＳＳＯＣＩＡＴＩＯＮ＿ＩＮＣフィールドは、システムレコードが関連タグを含むかどうかを示す。ＡＳＳＯＣＩＡＴＩＯＮ＿ＴＡＧフィールド（存在する場合）は、関連タグを含む。所与の地理的エリア内の複数のシステムは、互いに関連し得るし、その地理的エリアに対して一意である関連タグを割り当てることができる。たとえば、同じ地理的エリア内の１ｘシステムと１ｘＥＶ−ＤＯシステムは、互いに関連させられ得る。ワイヤレスデバイスは、最初に電源投入されたとき１ｘシステムを捕捉することを試み、次いでその捕捉された１ｘシステムに関連する１ｘＥＶ−ＤＯシステムを決定し、次いでその関連する１ｘＥＶ−ＤＯシステムを捕捉することを試みることができる。この関連付けは、ワイヤレスデバイスに、１ｘシステムに基づいて１ｘＥＶ−ＤＯシステムをより迅速に捕捉させる。拡張システムレコードの他のフィールドはＩＳ−６８３−Ｃ文書に記載されている。
【００３２】
本明細書で説明される実施形態の１つまたは複数の態様によれば、アクセスポイント（ＡＰ）基地局は、個々の消費者に配備され得るし、住宅、共同住宅、オフィスビルなどの中に配置され得る。ＡＰ基地局は、認可されたセルラー伝送帯域を利用するＡＰ基地局の範囲内のＡＴとワイヤレスに通信することができる。さらに、ＡＰ基地局は、デジタル加入者回線（たとえば、非対称ＤＳＬ（Asymmetric DSL；ＡＤＳＬ）、高データレートＤＳＬ（High data rate DSL；ＨＤＳＬ）、超高速ＤＳＬ（Very high speed DSL；ＶＤＳＬ）などを含むDigital Subscriber Line；ＤＳＬ）、インターネットプロトコル（Internet Protocol；ＩＰ）トラフィックを搬送するＴＶケーブル、電力線を介したブロードバンド（Broadband over Power Line；ＢＰＬ）接続、または同様の接続などのインターネットプロトコル（ＩＰ）接続を通してコアセルラーネットワークに接続できる。ＩＰラインとセルラーネットワークとの間の接続は、直接接続でも、またはインターネット経由でもよい。したがって、ＡＰ基地局は、ＡＴまたはセルラーハンドセットにセルラーサポートを行うことができ、セルラートラフィック（たとえば、ボイス、データ、ビデオ、オーディオ、インターネットなど）をマクロセルラーネットワークにＩＰ接続を通しルーティングすることができる。この機構は、消費者にエアタイムコストを節約させ、ネットワークプロバイダのセルラーネットワークトラフィック負荷を低減させられる。また、ＡＰ基地局の実装によって、住宅、オフィスビル、共同住宅などの内部のセルラーカバレッジを大幅に改善することができる。
【００３３】
次に図２を参照すると、本明細書で提示する様々な実施形態によるワイヤレス通信システム２００が示されている。システム２００は、複数のアンテナグループを含むことができる基地局２０２を備える。たとえば、１つのアンテナグループはアンテナ２０４および２０６を含み得るし、別のグループはアンテナ２０８および２１０を備え得るし、さらなるグループはアンテナ２１２および２１４を含み得る。アンテナグループごとに２つのアンテナが示されているが、グループごとにより多いまたはより少ないアンテナを利用することができる。基地局２０２は、さらに、送信機チェーンおよび受信機チェーンを含むことができ、送信機チェーンおよび受信機チェーンの各々は、当業者なら諒解するように、信号の送信および受信に関連する複数の構成要素（たとえば、プロセッサ、変調器、マルチプレクサ、復調器、デマルチプレクサ、アンテナなど）を備えることができる。基地局２０２は、たとえば、ＡＴ２１６およびＡＴ２２２といった、１つまたは複数のＡＴと通信することができる。
【００３４】
図２に示すように、ＡＴ２１６はアンテナ２１２および２１４と通信しており、アンテナ２１２および２１４は、順方向リンク２１８を介して情報をＡＴ２１６に送信し、逆方向リンク２２０を介して情報をＡＴ２１６から受信する。さらに、ＡＴ２２２はアンテナ２０４および２０６と通信しており、アンテナ２０４および２０６は、順方向リンク２２４を介して情報をＡＴ２２２に送信し、逆方向リンク２２６を介して情報をＡＴ２２２から受信する。周波数分割双方向（Frequency Division Duplex；ＦＤＤ）システムでは、たとえば、順方向リンク２１８は、逆方向リンク２２０によって使用される周波数帯とは異なる周波数帯を利用し、順方向リンク２２４は、逆方向リンク２２６によって使用される周波数帯とは異なる周波数帯を使用することができる。さらに、時分割双方向（Time Division Duplex；ＴＤＤ）システムでは、順方向リンク２１８および逆方向リンク２２０は、共通の周波数帯を利用し、順方向リンク２２４および逆方向リンク２２６は、共通の周波数帯を利用することができる。
【００３５】
アンテナの各グループおよび／またはそれらが通信するように指定されたエリアを、基地局２０２のセクタと呼ぶことができる。たとえば、基地局２０２によってカバーされるエリアのセクタ内のＡＴと通信するようにアンテナグループを設計することができる。順方向リンク２１８および２２４を介した通信では、基地局２０２の送信アンテナは、ＡＴ２１６および２２２についての順方向リンク２１８および２２４の信号対雑音比を向上させるためにビーム形成を利用することができる。また、基地局２０２が、ビーム形成を利用して関連するカバレッジ内に不規則に散在するＡＴ２１６および２２２に送信する間、基地局が単一のアンテナを介してその基地局のすべてのＡＴに送信する場合と比較して、近接セル中のＡＴは干渉を受けにくい。さらに、ＡＴ２１６および２２２は、一例ではピアツーピアまたはアドホック技術を使用して互いに直接通信することができる。
【００３６】
基地局２０２の同様の機能は、たとえば住居またはオフィスビルといったより小規模の場所に配備され得るＡＰ基地局２２８および２３０に実装できる。上述のように、ＡＰ基地局は、フェムトセルまたはホームノードＢ（Home Node B；ＨＮＢ）ユニットとも呼ばれ、ＤＳＬ、ケーブル、Ｔ１／Ｔ３などを介したワイヤレスサービスプロバイダへのブロードバンドバックホールリンクを有し、１つまたは複数のＡＴにワイヤレス通信サービスを提供することができる。図示のように、ＡＰ基地局２２８は、基地局２０２と同様に、順方向リンク２３４を介して１つまたは複数のＡＴ２３２と通信し、逆方向リンク２３６を介して（１つまたは複数の）ＡＴ２３２から通信を受信することができる。
【００３７】
一例によれば、ＡＰ基地局２３０は、ワイヤレスサービスアクセスを与えるために配備され得る。ＡＰ基地局２３０は、ブロードバンドバックホールリンクを介してワイヤレスサービスアクセスプロバイダに接続することができ、無線で１つまたは複数の異種フェムトセルまたはマクロセルに接続することなどができる。配備される時に、ＡＰ基地局２３０は、随意に、周囲のフェムトセル（たとえば、ＡＰ基地局２２８）およびマクロセル（たとえば、基地局２０２またはそのセクタ／セル）との干渉を回避するように自己設定することができる。この点について、ＡＰ基地局２３０は、ほとんどＡＴ２１６、２２２、および２３２のように、基地局２０２および異種ＡＰ基地局２２８から信号を受信することができる。この信号は、異種ＡＰ基地局２２８および／または基地局２０２によって利用される構成パラメータを決定するためにＡＰ基地局２３０によって利用され得るオーバーヘッドシステムメッセージとすることができる。
【００３８】
同様の環境構成では、構成パラメータは、ＡＰ基地局２３０によって決定され得る。さらに、ＡＰ基地局２３０が様々なパラメータを選択して干渉を緩和することを確実にするためにこれらのパラメータは決定され得るし、利用され得る。これらのパラメータは、ＡＰ基地局２２８、基地局２０２、および／または実質的に任意の他の周囲の送信機用に、たとえば、チャネル識別子（たとえば、ＣＤＭＡチャネルＩＤ）、擬似ノイズ（pseudo-noise；ＰＮ）オフセットなどを含むことができる。したがってＡＰ基地局２３０は、周囲のフェムトセルおよびマクロセルと干渉しないようにそのチャネル識別子、ＰＮオフセットなどを自己設定することができる。さらに、ＡＰ基地局２３０は、ＡＰ基地局２３０と通信しているデバイスのハードおよびソフトハンドオフを可能にするために周囲のフェムトセルおよびマクロセルの隣接リストを構築するためにこの情報を利用することができる。ＡＰ基地局２３０は、タイミング、位置などを決定するために、たとえば、ＡＰ基地局２２８および／または基地局２０２からＲＦ信号を受信するように適合され得ることに留意されたい。
【００３９】
図３は、ネットワーク環境内でＡＰ基地局の配備を可能にするための例示的な通信システムを示す。図３に示すように、システム３００は、たとえば、１つまたは複数のユーザ住居３３０の中など、たとえば対応する小規模ネットワーク環境中にそれぞれ設置されたＡＰ基地局３１０、３１２など、複数のＡＰ基地局を含むことができ、関連するＡＴ３２０ならびに関連しないＡＴ３２２にサービスするように構成できる。図３の例示的な実施形態は、２つのＡＰ基地局３１０および３１２を示しているが、システム３００は任意の数のＡＰ基地局を含むことができることに留意されたい。さらに、本明細書はＡＰ基地局３１０に焦点を合わせているが、本明細書は、ＡＰ基地局３１２および他の均等物（図示せず）にも適用できることに留意されたい。
【００４０】
ＡＰ基地局３１０は、さらに、ＤＳＬルータ、ケーブルモデムなどを介して、インターネット３４０、およびマクロネットワーク３５０（マクロセルモバイルネットワーク、モバイル事業者コアネットワーク、またはその変形でも呼ばれる）に結合できる。本明細書で説明するいくつかの実施形態では３ＧＰＰ用語を使用しているが、これらの実施形態は、第３世代パートナーシッププロジェクト（3rd Generation Partnership Project；３ＧＰＰ）（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術、および他の知られている関連する技術に適用できることに留意されたい。本明細書で説明するそのような実施形態では、ＡＰ基地局３１０の所有者は、たとえば、マクロネットワーク３５０を介して提供される３Ｇモバイルサービスなど、モバイルサービスに加入することができる。
【００４１】
ＡＴ３２０は、（たとえば、マクロネットワーク３５０に動作可能に結合されたマクロセルアクセス３４２を介した）マクロセルラー環境中、ならびに（たとえば、ＡＰ基地局３１０および／または３１２を介した）住居用の小規模ネットワーク環境中の両方で動作するように適合できる。したがって、ＡＰ基地局３１０は、いかなる既存のＡＴ３２０とも後方互換性がある。マクロネットワーク３５０に加えて、ＡＴ３２０は、所定または別様の任意の数のＡＰ基地局（たとえば、対応するユーザ住居３３０内に常駐するＡＰ基地局３１０、３１２）によってサービスされ得るし、概してマクロネットワーク３５０とのソフトハンドオーバ状態にされることはない。
【００４２】
たとえば、ビジターＡＴ３２２など、ＡＰ基地局３１０に関連しないマクロＡＴがＡＰ基地局３１０のサービスエリアに入った場合、マクロネットワーク３５０は、ビジターＡＴ３２２を別の搬送周波数に導くことができる。しかしながら、ビジターＡＴ３２２は、後続の時間でＡＰ基地局３１０の捕捉を試みることができる。例として、たとえばＳＩＤ／ＮＩＤペア、および／またはモバイル国名コード／モバイルネットワークコード（Mobile Country Code/Mobile Network Code；ＭＣＣ／ＭＮＣ）ペアなど識別子を含むパラメータの所定のセットが、ビジターＡＴ３２２がアクセス試行をしなければならないように構成された（たとえば、ゾーンまたはサブネットＩＤの変更により登録を実行する）場合、これは、ビジターＡＴ３２２がＡＰ基地局３１０のサービスエリアに入るときアクセス試行が繰り返し生じる結果となり得る。
【００４３】
一実施形態では、ＡＴ３２２は、ＡＰ基地局を効率的に選択するように構成されたシステム選択ファイルを、受信するか、または他の方法で供給される。システム選択ファイルは、ＡＰ基地局３１０を備える複数の通信システム用の優先パラメータと捕捉パラメータとを含むことができる。ＡＴは、システム選択ファイルを格納するように適合されたメモリユニット、ならびにメモリユニットと通信動作するプロセッサを備えることができる。ＡＴが所与のシステムにキャンプしており、システム選択ファイル（たとえば、ＰＲＬ）が同じＧＥＯにおいてリストアップされているより優先度が高いシステムを有しているとき、信号強度が十分に強い（すなわち、追加しきい値を上回る）場合、ＡＴは、より優先度が高いシステムに関連するチャネルをスキャンし、より優先度が高いシステムにキャンプする。
【００４４】
プロセッサは、ＡＰ基地局３１０を優先システムとして特定するように設定された優先パラメータのうちの所与の１つに応答して、ＡＰ基地局の捕捉を試みるために対応する捕捉パラメータを利用するように適合され得る。プロセッサは、非優先システムの捕捉を試みることを控え、および／またはＡＰ基地局３１０以外のどんなシステムの捕捉を試みることも控えるように適合できる。システム選択ファイルおよび関連する技法に関するさらなる詳細については、以下で図４〜図１０を参照しながら説明する。
【００４５】
本明細書で説明する実施形態の１つまたは複数の態様において、図４は、システムテーブル４１０と捕捉テーブル４５０とを含むシステム選択ファイル４００の一実施形態を図示する。図１Ｃに示すＰＲＬ１４０と同様に、システム選択ファイル４００のシステムテーブル４１０は、ＧＥＯによって編成される、許可されたシステム／ネットワークと（随意に）禁止されたシステム／ネットワークとのリストを含むことができる。図１Ｃに示すシステムテーブル１５０と同様に、システムテーブル４１０は、タブ付きテーブルを用いて各地理的エリアを表し、各タブ付きテーブルは、ワイヤレスデバイスがアクセスすべき優先システム／ネットワーク用のセクション４２０と、（随意に）ワイヤレスデバイスがアクセスしてはならない禁制システム／ネットワーク用のセクション４４０とを含むことができる。システムテーブルは、ＰＲＬ１４０全体に適用されるグローバルフラグ４２１（たとえば、ＰＲＥＦ＿ＯＮＬＹ）を含むことができる。
【００４６】
システム選択ファイル４００のシステムテーブル４１０は、許可されたシステム４２２、４２４、４２６、４２８を含むことができ、ファイル４００が１つまたは複数の３ＧＰＰ２  １ｘＲＴＴシステムを含むとき、その許可されたシステムのうちの１つまたは複数をＳＩＤ／ＮＩＤペアによって特定することができる。たとえば、システム４２２はＳＩＤ１／ＮＩＤ１によって特定され得るし、システム４２４はＳＩＤ１／ＮＩＤ２によって特定できる。同様に、システム４２６はＳＩＤ２／ＮＩＤ３によって特定され得るし、システム４２６はＳＩＤ２／ＮＩＤ４によって特定され得る。代替または追加として、許可されたシステム４２２、４２４、４２６、４２８のうちの１つまたは複数は、ＭＣＣ／ＭＮＣペアなどによって特定され得る。代替または追加として、前記ファイルが１つまたは複数の３ＧＰＰ２  ＥＶ−ＤＯシステムを含むとき、許可されたシステム４２２、４２４、４２６、４２８のうちの１つまたは複数は、サブネットＩＤによって特定され得る。
【００４７】
システム選択ファイル４００は、システム選択ファイル４００に記載されたシステム／ネットワークのサブセットに適用される１つまたは複数のローカルフラグ（たとえば、ＰＲＥＦ＿ＯＮＬＹフィールド／タグ）を有し、これは、ＰＲＬ１４０全体に適用されるグローバルフラグ１５３を有する図１Ｃ〜図Ｅ中のＰＲＬ１４０とは対照的である。たとえば、図４の実施形態では、ＰＲＥＦ＿ＯＮＬＹフィールド４３２、４３４、４３６、および４３８は、それぞれシステム４２２、４２４、４２６、および４２８に適用されるか、または他の方法でそれらのシステムに関連付けられる。ＰＲＥＦ＿ＯＮＬＹは「優先のみ」を表し、移動局が、ＰＲＥＦ＿ＮＥＧが「１」に設定されたＳＹＳ＿ＴＡＢＬＥ（すなわち、システムテーブル）中で指定されたシステム上のみで動作する場合、このフィールドは「１」に設定されることに留意されたい。ＰＲＥＦ＿ＮＥＧは「優先／否定のシステム」を表し、移動局がこのレコードに関連するシステム上で動作することが許される場合、このフィールドは「１」に設定される。移動局がこのレコードに関連するシステム上で動作することが許されない場合、このフィールドは「０」に設定される。代替手法では、所与の許可されたフェムトセルを、その所与のＳＩＤ／ＮＩＤとともにＰＲＥＦシステムとしてシステム選択ファイル中にリストアップされ、他のすべての許可されないフェムトセルは、それらのＳＩＤ／ＮＩＤとともにＮＥＧシステムとしてリストアップされることに留意されたい。しかしながら、潜在的に大きい数のフェムトセルがあるとすれば、そのような手法は実際的でなく、得られたシステム選択ファイルが大きく扱いにくくなることがある。優先手法では、システム選択ファイルは、ＳＩＤ範囲内の１つまたは数個の許可されたフェムトセルをリストアップし、そのようなリストアップされたフェムトセルのＰＲＥＦ＿ＯＮＬＹフラグを含む。ＳＩＤ範囲内の他の特定されないシステムは自動的にＮＥＧシステムと解釈される。
【００４８】
移動局またはＡＴが、ＰＲＥＦ＿ＮＥＧが１に設定されたＳＹＳ＿ＴＡＢＬＥで指定されたシステム上で、またはＳＹＳ＿ＴＡＢＬＥ中で指定されていないシステム上で動作する場合、ＰＲＥＦ＿ＯＮＬＹフィールドは「０」に設定される。ＰＲＥＦ＿ＯＮＬＹに関するさらなる詳細は、公に入手可能な、「Over-the-Air Service Provisioning of Mobile Stations in Spread Spectrum Standards - Release C」、２００４年１０月２２日に与えられている。図４は、１ｘ用に使用できるシステム選択ファイルの図を示していることに留意されたい。後述のように、１ｘＥＶ−ＤＯで使用されるＰＲＬは異なるフォーマットを有する。
【００４９】
ＰＲＥＦ＿ＯＮＬＹフィールド４３２がシステム４２２のみに適用されるようにすることにより、このフィールドが「１」に設定されるとき、システム選択ファイル４００をもつＡＴは、ＰＲＥＦ＿ＮＥＧが「１」に設定されたＳＩＤ１／ＮＩＤ１ペアによって特定されたシステム／ネットワーク上のみで動作する。ＰＲＥＦ＿ＯＮＬＹフィールド４３２が「０」に設定されるとき、ＡＴは、（ａ）ＰＲＥＦ＿ＮＥＧが「１」に設定されたＳＩＤ１／ＮＩＤ１ペアによって特定されたシステム／ネットワーク上で、（ｂ）ＳＩＤ１および任意の恣意的なＮＩＤによって特定された他の任意のシステム／ネットワーク上で、または（ｃ）ＳＹＳ＿ＴＡＢＬＥ中で指定されていないシステム／ネットワーク上で動作することができる。ＳＩＤ１／ＮＩＤ１ペアは、個人（たとえば、図４ではＪｏｈｎ  Ｄｏｅ）によって所有されたフェムトセルに対応することができる。新しいＰＲＥＦ＿ＯＮＬＹフラグ４３２の範囲は、ＳＩＤ１のみである。ＳＩＤ２などの他のシステムでは、選択は、指定された場合はＳＩＤ２のＰＲＥＦ＿ＯＮＬＹフラグ（たとえば、ＰＲＥＦ＿ＯＮＬＹフラグ４２６）か、またはシステム選択ファイル全体に適用されるグローバルＰＲＥＦ＿ＯＮＬＹフラグ（たとえば、グローバルＰＲＥＦ＿ＯＮＬＹフラグ４２１）のいずれかによって制御される。同様に、システム選択ファイル中に記載されていないシステムの選択は、システム選択ファイル全体に適用されるグローバルＰＲＥＦ＿ＯＮＬＹフラグ４２１によって制御される。グローバルＰＲＥＦ＿ＯＮＬＹフラグ４２１は、システム選択ファイルワイドフラグであり、グローバルフラグ／フィールドの例である。
【００５０】
同様に、ＰＲＥＦ＿ＯＮＬＹフィールド４３４がシステム４２４のみに適用されるようにすることにより、このフィールドが「１」に設定されるとき、システム選択ファイル４００をもつＡＴは、ＰＲＥＦ＿ＮＥＧが「１」に設定されたＳＩＤ１／ＮＩＤ２ペアによって特定されたシステム／ネットワーク上のみで動作する。ＰＲＥＦ＿ＯＮＬＹフィールド４３２が「０」に設定されるとき、ＡＴは、（ａ）ＰＲＥＦ＿ＮＥＧが「１」に設定されたＳＩＤ１／ＮＩＤ２ペアによって特定されたシステム／ネットワーク上で、（ｂ）ＳＩＤ１および任意の恣意的なＮＩＤによって特定された他の任意のシステム／ネットワーク上で、または（ｃ）ＳＹＳ＿ＴＡＢＬＥ中で指定されていないシステム／ネットワーク上で動作することができる。グローバルＰＲＥＦ＿ＯＮＬＹフラグが設定されていない場合、ローカルＰＲＥＦ＿ＯＮＬＹフラグが設定されないならば、ＡＴはそれらのシステムを選択することもできる。ＳＩＤ１／ＮＩＤ２ペアは、コーヒーショップ、図書館、ショッピングモールなどの公共の場所（たとえば、図４のＪｏｅのコーヒーショップ）に位置するフェムトセルに対応することができる。別の例では、ＳＩＤ２／ＮＩＤ３ペアは、所与のセルラーＣＤＭＡシステムなどの標準チャネルに対応することができる。
【００５１】
図５を参照すると、１ｘに使用されることができ、たとえばＡＣＱ＿ＴＡＢＬＥ（すなわち、捕捉テーブル）フィールドおよびＳＹＳ＿ＴＡＢＬＥフィールドなど、図１Ｄ中のファイル１７０と同じであるいくつかのフィールドを含むシステム選択ファイルを含む、ファイル５００が与えられている。システムレコードのフォーマットは、図１Ｄのフォーマットと類似しており、たとえば、ＳＩＤフィールド、ＮＩＤ＿ＩＮＣＬフィールド、ＡＣＱ＿ＩＮＤＥＸフィールドなどを含むことができる。しかしながら、ファイル１７０とは対照的に、ファイル４００中の所与のシステムのシステムレコードは、所与のシステムに固有であるＰＲＥＦ＿ＯＮＬＹフィールド５１０を含むことができる。たとえば、もう一度図４を参照すると、システム選択ファイル４００は、許可されたシステム４２２のＰＲＥＦ＿ＯＮＬＹフィールド４３２と、許可されたシステム４２４のＰＲＥＦ＿ＯＮＬＹフィールド４３４と、許可されたシステム４２６のＰＲＥＦ＿ＯＮＬＹフィールド４３６と、許可されたシステム４２８のＰＲＥＦ＿ＯＮＬＹフィールド４３８とを含む。
【００５２】
図６を参照すると、１ｘおよび／または１ｘＥＶ−ＤＯシステムに用いられ得る拡張システム選択ファイルを含むファイル６００が与えられている。拡張システムレコードのフォーマットは、図１Ｅのフォーマットに類似しているが、記載された各システムに固有であるＰＲＥＦ＿ＯＮＬＹフィールド６１０をさらに含む。
【００５３】
図７は、システムテーブル７１０と捕捉テーブル７５０とを含むシステム選択ファイル７００の別の実施形態を図示する。システム選択ファイル７００のシステムテーブル７１０はそれぞれＳＩＤによって特定され得る、許可されたシステム７２２および７２４を含むことができる。。たとえば、システム７２２はＳＩＤ１によって特定され得るし、システム７２４はＳＩＤ２によって特定され得る。この例では、優先システムは、ＮＩＤが何であるかにかかわらずＳＩＤによって特定される。代替または追加として、許可されたシステム７２２および／または７２４は、ＭＣＣなどによって特定され得る。代替または追加として、許可されたシステム７２２および／または７２４は、サブネットＩＤによって特定され得る。
【００５４】
各タブ付きテーブルは、ＰＲＬ７００全体に適用されるグローバルフラグ７２１（たとえば、ＰＲＥＦ＿ＯＮＬＹ）を含むことができる。システムテーブル７１０は、システム選択ファイル７００に記載されたシステム／ネットワークのサブセットに適用される１つまたは複数のローカルフラグ（たとえば、ＰＲＥＦ＿ＯＮＬＹ）を含むことができる。ただし、記載されたシステム／ネットワークごとにＰＲＥＦ＿ＯＮＬＹフィールドを有するのではなく、システムテーブル７１０は、システム７２２に適用されるかまたはシステム７２２に関連する、ＰＲＥＦ＿ＯＮＬＹフィールド７３２を含む。システム７１０はまた、システム７２４に適用されるかまたはシステム７２４に関連する、ＰＲＥＦ＿ＯＮＬＹフィールド７３４を含むことができる。システムテーブル７１０および捕捉テーブル７５０の構成要素は、他の点ではそれぞれ図４のシステムテーブル４１０および捕捉テーブル４５０と基本的に同じである。
【００５５】
ＰＲＥＦ＿ＯＮＬＹフィールド７３２がシステム７２２のみに適用されるようにすると、このフィールドが「１」に設定されたとき、システム選択ファイル７００をもつＡＴは、対応するＮＩＤフィールドが何に設定されるかにかかわらず、ＰＲＥＦ＿ＮＥＧが「１」に設定されたＳＩＤ１によって特定されたシステムおよびネットワーク上のみで動作するようになる。ＰＲＥＦ＿ＯＮＬＹフィールド７３２が「０」に設定されるとき、ＡＴは、ＰＲＥＦ＿ＮＥＧが「１」に設定されたＳＩＤ１によって特定されたシステムおよびネットワーク上で、またはＳＹＳ＿ＴＡＢＬＥ中で指定されていないシステム／ネットワーク上で動作する。
【００５６】
同様に、ＰＲＥＦ＿ＯＮＬＹフィールド７３４がシステム７２４のみに適用されるようにすると、このフィールドが「１」に設定されたとき、システム選択ファイル７００をもつＡＴは、対応するＮＩＤフィールドが何に設定されるかにかかわらず、ＰＲＥＦ＿ＮＥＧが「１」に設定されたＳＩＤ２によって特定されたシステムおよびネットワーク上のみで動作するようになる。ＰＲＥＦ＿ＯＮＬＹフィールド７３６が「０」に設定されるとき、ＡＴは、ＰＲＥＦ＿ＮＥＧが「１」に設定されたＳＩＤ２によって特定されたシステムおよびネットワーク上で、またはＳＹＳ＿ＴＡＢＬＥ中で指定されていないシステムおよびネットワーク上で動作する。
【００５７】
本明細書で説明する実施形態の１つまたは複数の態様によれば、図４〜図７に示すシステム選択ファイルおよびその構成要素は、ＡＰ基地局またはフェムトセルとの制限されたまたはオープンな関連付けに適合され得る。たとえば、制限された関連付けに適合された１つまたは複数のフェムトセルの状況では、一意のＳＩＤがフェムトネットワーク（すなわち、フェムトセルのネットワーク）に割り当てられ得る。代替または追加として、一意のＮＩＤがフェムトセルごとに割り当てられ得る。フェムトセルに固有のシステム選択ファイルは、（ａ）フェムトセルのＳＩＤ／ＮＩＤペアが、フェムトセルＧＥＯにおける最高優先順位のシステムであり、（ｂ）対応する捕捉レコードが、フェムトセルが動作するチャネルを指し示すように構成され得る。マクロネットワーク（すなわち、非フェムトセルのネットワーク）のカバレッジ中にある間、フェムトＡＴ（ＦＡＴ）（すなわち、プロビジョニングなどを介してソフトウェアアップグレードに基づいてＡＰ基地局に関連付けできるＡＴ）は、最も多く参照されたシステム（すなわち、フェムトセル）を周期的に探索することができる。フェムトセルを発見すると、ＦＡＴはフェムトセルを介して登録を実行する。
【００５８】
オープンな関連付けに適合されたフェムトセルの状況では、フェムトネットワークに一意のＳＩＤ／ＮＩＤペアは、フェムトネットワークに割り振られ得るし、または一意のＳＩＤは、フェムトネットワークに割り振られ得るし、フェムトネットワーク中の１つまたは複数のフェムトセルは、別々のＮＩＤを割り当てられ得る。フェムトネットワークに固有のシステム選択ファイルは、（ａ）フェムトネットワークのＳＩＤ／ＮＩＤペアまたはＳＩＤが、ホームＧＥＯにおいて最高優先順位であり、（ｂ）対応する捕捉レコードが、フェムトネットワークが動作する（１つまたは複数の）チャネルを指し示すように構成され得る。マクロネットワークカバレッジ内にある間、ＦＡＴは、フェムトネットワークを周期的に探索することができる。フェムトセルを発見すると、ＦＡＴは、発見されたフェムトセルを介して登録を実行することができる。
【００５９】
図４〜図７のシステム選択ファイルは、いくつかの方法でフェムトセル用に準備または構成され得る。一実施形態では、フェムトセルの所有者は、その人がフェムトセルのＳＩＤ／ＮＩＤペアを設定または受信することができるウェブベージまたは他のソフトウェアにアクセスすることができ、どのＡＴがフェムトセルにアクセスすることを許可されているかに関する情報を入力することができる。入力される情報は、たとえば、電話番号、国際移動局特定情報（International Mobile Station Identities；ＩＭＳＩ）などの識別子を含むことができる。ＳＩＤ／ＮＩＤペアおよび許可されたＡＴに関する情報は、モバイル事業者コアネットワークによって受信でき、そのモバイル事業者コアネットワークは、更新されたシステム選択ファイルを許可されたＡＴに配備する。代替または追加として、フェムトセルが、そのような更新されたシステム選択ファイルを許可されたＡＴに配備することができる。
【００６０】
オープンな関連付けでは、すべてのＦＡＴは、所与のシステム選択ファイルを共有でき、ＰＲＬ、パブリックランドモバイルネットワーク（ＰＬＭＮ）データベース、および／または３ＧＰＰ２−ＰＲＬおよび３ＧＰＰ−ＰＬＭＮベースの方法に立脚するオーバーレイアルゴリズム／ロジックのための既存のプロビジョニング機構は、本明細書で説明するシステム選択ファイルのプロビジョニングをサポートするように適合され得る。制限された関連付けでは、各ＦＡＴは一意のシステム選択ファイルを有することができる。制限された関連付けのためのスケーラブルな機構および解決策は、（ａ）コアネットワークにおけるカスタムシステム選択ファイルの動的構築、および／または（ｂ）フェムトセルを使用したシステム選択ファイルプロビジョニングを含むことができる。
【００６１】
コアネットワークにおけるカスタムシステム選択ファイルの動的構築に対する１つの例示的な手法では、加入者特定情報を使用してＮＩＤをプログラム的に生成することを含む技法が提供される。たとえば、ハッシュアカウントＩＤ、課金ＩＤなどを使用してＮＩＤを生成することができる。代替または追加として、フェムトネットワークの運用、管理、および保守（Operations, Administration, and Maintenance；ＯＡ＆Ｍ）機能によってＮＩＤを問い合わせることができる。この技法は、フェムトセルと協調し、そのフェムトセルに生成されたＮＩＤを割り当てることを含むことができる。代替または追加として、フェムトセルは、ＮＩＤを生成するために同じアルゴリズムを使用することができる。この技法は、加入者固有のシステム選択ファイルを格納し、管理する必要がないように、カスタムシステム選択ファイルをその場で構築することを含むことができる。この技法は、無線パラメータ管理（Over-the-Air Parameter Administration；ＯＴＡＰＡ）、すなわち、エアインターフェースを介して移動局動作パラメータを準備するというネットワーク起動型無線サービスプロビジョニング（Over-the-Air Service Provisioning；ＯＴＡＳＰ）プロセスを実施することによってカスタムシステム選択ファイルを用いてＦＡＴを準備することを含むことができる。
【００６２】
フェムトセルを使用したシステム選択ファイルプロビジョニングに対する１つの例示的な手法では、起動時に、ＯＴＡＰＡを使用してブートストラップシステム選択ファイルを用いてＦＡＴを準備することを含む技法が提供される。ブートストラップシステム選択ファイルは、ブートストラップチャネル上の最高優先順位システムとしてブートストラップＮＩＤを記載することができる。最初の電源投入時に、フェムトセルはブートストラップモードに入ることができる。ブートストラップモードでは、フェムトセルは、ブートストラップチャネル上で、極めて低電力でブートストラップＮＩＤを使用して動作することができる。低電力であるため、干渉を制限するのに役立ち、ユーザはフェムトセルに近接してＦＡＴを配置することができることに留意されたい。続くＡＴ登録の時に、（ａ）フェムトセルは、その通常動作チャネル上での優先システムとしてフェムトセルＮＩＤを記載したカスタムシステム選択ファイルを構築し、（ｂ）フェムトセルは、ＯＴＡＰＡを使用してＦＡＴを再び準備することができる。代替または追加として、フェムトセルは、ユーザ要求時にブートストラップ動作を実行することができる。
【００６３】
本明細書で説明するシステム選択ファイルおよび関連する技法により、フェムトセルのカバレッジ内にあるときフェムトセルを確実に発見できるようにし、オープンな関連付けと制限された関連付けの両方をサポートすることができる。さらに、システム選択ファイルおよび説明する技法は、ＡＴおよびコアネットワークにおける既存のサポートを活用し、マクロネットワークカバレッジ中のＡＴのパフォーマンスに最小の影響しか与えなくなる（すなわち、異なるフェムトセルによる過度の捕捉がなく、システム選択ループがなくなる）。これは、各フェムトセルを有することに依拠する技術と対照的に、スペクトル汚染を生じさせる可能性があり、フェムトセル検出を信頼できないものにし、緊密なフェムトマクロタイミング同期を必要とし、（制限された関連付けの状況で）ＡＴのポストリダイレクションがフェムトビーコンによって再び捕捉されるとき潜在的なループに陥る可能性がある、ホームＦＡＴ（ＨＦＡＴ）（すなわち、関連するフェムトセルのカバレッジ内に現在あるフェムトＡＴ）を捕捉するためにビーコンを送信する。
【００６４】
本明細書で説明するシステム選択ファイルおよび関連する技法の実施形態の１つまたは複数の態様によれば、フェムトセル用の優先ユーザゾーンリスト（Preferred User Zone Lists；ＰＵＺＬ）を利用する技法が提供される。ＣＤＭＡ２０００  １ｘ  Ｒｅｌｅａｓｅ  ０はユーザゾーンをサポートしており、フェムトセルの場合、モバイル固有ユーザゾーンが該当することに留意されたい。この技法は、ゾーン記述においてジオアンカー（たとえば、＜ＳＩＤ，ＢＡＳＥ＿ＩＤ＞および／または＜ＳＩＤ，ＳＥＣＴＯＲ＿ＩＤ＞および／またはサブネットＩＤ）をサポートすることを含み、それによってマクロネットワークがシステムパラメータメッセージ（System Parameter Message；ＳＰＭ）中に正しい情報要素（Information Element；ＩＥ）を含まない場合がある状況を修復することができる。ＦＡＴが、重複しているマクロ基地局のサービスエリアに入ったとき、ＦＡＴは、その関連するフェムトセルに焦点を合わせた探索を開始することができる。ＰＵＺＬは、選択においてＦＡＴからの登録を強制するように構成され得る。
【００６５】
オープンな関連付けでは、ＰＵＺＬが、フェムトセル探索を局在化するために有用なことがある。たとえば、フェムトセル探索は、重複しているマクロ基地局のサービスエリア内に局在化させられ得る。制限された関連付けでは、各フェムトセルは、再利用スペース（すなわち、フェムトセルとマクロセルの両方によって使用される周波数）内の一意のゾーンに対応し得るし、各ＦＡＴは、ホームフェムトセルゾーンに対応するカスタムＰＵＺＬを用いて準備され得る。フェムトセルは、オーバーヘッドメッセージ中にサポートされたゾーンを埋め込むことができるが、登録の試みは、ゾーン加入者に制限されることは概してできない。フェムトセルは、異なるフェムトＡＴ（alien femto AT；ＡＦＡＴ）（すなわち、動作することが許可されていないＡＰ基地局のカバレッジ内にあるフェムトＡＴ）を含む異なるＡＴ（alien AT；ＡＡＴ）（すなわち、フェムトセル上で動作することが許可されていないＡＴ）による登録をフィルタ処理するように適合され得る。
【００６６】
標準ではあるが、ＰＵＺＬは、一部のＡＴにサポートされておらず、ＡＡＴによる登録の試みを防止することはできない。それでも、本明細書で説明するシステム選択ファイルとＰＵＺＬ技法の組合せにより、漂遊（stray）登録の試みを制限するのに役立つことができる。システム選択ファイルは、最高優先順位システムとしてではないがフェムトセルを含むことができ、ベターシステムリセレクション（Better System Reselection；ＢＳＲ）を除去することができることに留意されたい。したがって、ＰＲＥＦ＿ＯＮＬＹフラグは、、ホームフェムトセルのみへの登録の試みを制限することができる。さらに、上述のカスタムシステム選択ファイルプロビジョニング技法は、制限された関連付けの状況において、カスタムＰＵＺＬプロビジョニングに適用することもできることに留意されたい。
【００６７】
本明細書で説明する実施形態の１つまたは複数の態様によれば、システム選択および捕捉を実行するための方法が提供される。図８Ａに示すフローチャートを参照すると、複数の通信システム用の優先パラメータと捕捉パラメータとを含むシステム選択ファイルを受信すること（ステップ８１０）を備えられる方法８００が与えられている。通信システムは、少なくとも１つのＡＰ基地局またはフェムトセルを含む。たとえば、システムは、フェムトネットワーク用の１つまたは複数のＡＰ基地局と、マクロネットワーク用の１つまたは複数のマクロ基地局とを含むことができる。
【００６８】
図８Ｂを参照すると、ステップ８１０は、３ＧＰＰ２  １ｘＲＴＴシステムのうちの１つまたは複数に対する識別パラメータを有するシステムテーブルをもつシステム選択ファイルを受信することを含むことができ、各識別パラメータはＳＩＤおよび／またはＮＩＤを含むことができる（ステップ８１２）。代替または追加として、識別パラメータは、３ＧＰＰ２  １ｘＲＴＴシステムのＭＣＣおよび／またはＭＮＣを含むことができる。代替または追加として、システムテーブルは、３ＧＰＰ２  ＥＶ−ＤＯシステムのうちの１つまたは複数に対する識別パラメータを含むことができ、各識別パラメータはサブネットＩＤを含むことができる。ステップ８１０は、通信システムの優先パラメータを含むシステムテーブルを受信すること（ステップ８１４）を含むことができる。優先パラメータは、通信システムのうちの１つまたは複数に対するＰＲＥＦ＿ＯＮＬＹフィールドを含むことができる。関連する態様では、ステップ８１０は、通信システムの捕捉のための周波数のインデックス付きリストを含む捕捉テーブルを受信すること（ステップ８１６）を含むことができる。
【００６９】
もう一度図８Ａを参照すると、ステップ８２０において、ＡＰ基地局を優先システムとして特定するように設定された優先パラメータのうちの所与の１つに応答して、本方法は、ＡＰ基地局の捕捉を試みるために対応する捕捉パラメータを利用することを含み得る。ステップ８２０は、フェムトセルおよび／またはマクロセルへのアクセスを可能にすることを含むかまたは他の方法で生じさせることができる。関連する態様では、方法８００は、非優先システムの捕捉を試みるのを控えること（ステップ８３０）、および／またはＡＰ基地局以外のシステムの捕捉を試みるのを控えること（ステップ８４０）を備えることができる。さらなる関連する態様では、方法８００は、優先システムの捕捉の失敗に応答して、別の優先システム、または随意に、非優先システムを捕捉するのを試みること（ステップ８５０）を備えることができる。
【００７０】
本明細書で説明する実施形態の１つまたは複数の態様によれば、システム選択および捕捉のためのデバイスおよび装置が提供される。図９を参照すると、通信端末もしくはデバイスとして、または、たとえばＡＴなどの通信端末もしくはデバイス内で使用するためのプロセッサもしくは同様のデバイスとして構成できる例示的な装置９００が与えられている。図示のように、装置９００は、システム選択ファイルを受信するための手段９１０を備える。システム選択ファイルは、複数の通信システム用の優先パラメータと捕捉パラメータとを含むことができる。通信システムは、少なくとも１つのＡＰ基地局９３０またはフェムトセルを含む。たとえば、システムは、フェムトネットワーク用の１つまたは複数のＡＰ基地局と、マクロネットワーク用の１つまたは複数のマクロ基地局とを含むことができる。
【００７１】
システム選択ファイルはシステムテーブルを含み、システムテーブルはシステムの識別パラメータを含むことができる。一実施形態では、識別パラメータは、１つまたは複数のＳＩＤ、および／または１つまたは複数のＮＩＤを含むことができる。別の実施形態では、識別パラメータは、１つまたは複数のＭＣＣ、および／または１つまたは複数のＭＮＣを含むことができる。さらに別の実施形態では、識別パラメータは、１つまたは複数のサブネットＩＤを含むことができる。
【００７２】
関連する態様では、各システムテーブルエントリは、ＳＩＤ／ＮＩＤペア、ＭＣＣ／ＭＮＣペア、またはサブネットＩＤによってキーイングされる。さらなる関連する態様では、システムテーブルはシステムの優先パラメータを含むことができる。各優先パラメータは、システムのうちの所与の１つに対するＰＲＥＦ＿ＯＮＬＹフィールドを含むことができる。優先パラメータの少なくとも１つは、システムのサブセットに対するＰＲＥＦ＿ＯＮＬＹフィールドなどを含むことができることに留意されたい。システム選択ファイルは捕捉テーブルを含み、捕捉テーブルは、システムの捕捉のための周波数のインデックス付きリストを含むことができる。各システムテーブルエントリは、捕捉テーブル中にリストアップされた少なくとも１つの周波数を参照する捕捉インデックスを含むことができる。
【００７３】
装置９００は、優先システムとしてＡＰ基地局９３０を特定するように設定された優先パラメータのうちの所与の１つに応答して、ＡＰ基地局９３０の捕捉を試みるための、対応する捕捉パラメータを利用するための手段９２０を備えることができる。関連する態様では、利用するための手段９２０は、非優先システムの捕捉を試みることを控えるための手段９２２に適合させるか、またはその手段９２２を備えることができる。代替または追加として、手段９２０は、ＡＰ基地局９３０以外のシステムの捕捉を試みることを控えるための手段９２４に適合させるか、またはその手段９２４を備えることができる。さらなる関連する態様では、手段９２０は、フェムトセルおよび／またはマクロセルへのアクセスを可能にするための手段９２６に適合させるか、またはその手段９２６を備えることができる。また別の関連する態様では、手段９２０は、優先システムの捕捉の失敗に応答して、別の優先システム、および／または随意に、非優先システムを捕捉するための手段９２８に適合させるか、またはその手段９２８を備えることができる。
【００７４】
装置９００は、装置９００がプロセッサとしてではなく通信端末として構成された場合、随意にプロセッサ９７０を含むことができる。そのような場合、プロセッサ９７０は、バス９０２または同様の通信結合を介して手段９１０および９２０と通信動作することができる。プロセッサ９７０は、手段９１０および９２０、ならびにその構成要素によって実行されるプロセスまたは機能の起動とスケジューリングとを実施することができる。
【００７５】
装置９００は、たとえば、メモリデバイス／モジュール９６０など、システム選択ファイルを格納するための手段を随意に含むことができることに留意されたい。コンピュータ可読媒体またはメモリデバイス／モジュール９６０は、バス９０２などを介して装置９００の他の構成要素に動作可能に結合され得る。コンピュータ可読媒体またはメモリデバイス９６０は、手段９１０および９２０ならびにその構成要素、もしくは（装置９００が端末として構成された場合の）プロセッサ９５０のいずれかのプロセスおよび動き、または本明細書で開示する方法を実施するためのコンピュータ可読命令およびデータを格納するように適合できる。装置９００はまた、装置９００の他の構成要素に動作可能に結合されたトランシーバ９８０を含むことができる。トランシーバ９８０の代わりにまたはトランシーバ９８０とともに、スタンドアロン受信機および／またはスタンドアロン送信機を使用することができる。
【００７６】
図１０に、ワイヤレスデバイス１２０ｘおよび様々なネットワークエンティティの一実施形態のブロック図を示す。ワイヤレスデバイス１２０ｘにおいて、アンテナ１０５２は、様々なマクロ基地局（たとえば、マクロ基地局１１０ｘおよび／または１１０ｙ）、および／または（１つまたは複数の）ＡＰ基地局（たとえば、ＡＰ基地局３１０）によって送信された信号を受信し、その受信信号を供給する。受信機ユニット（ＲＣＶＲ）１０５４は、受信信号を調整し（たとえば、フィルタリングし、増幅し、周波数ダウンコンバートし）、その調整された信号をデジタル化し、データサンプルを得る。復調器（Ｄｅｍｏｄ）１０５６は、データサンプルを復調し、復調データを供給する。復号器１０５８は、復調データを復号し、復号データを与える。復調および復号は、たとえば、１ｘまたは１ｘＥＶ−ＤＯ物理層処理に基づくことができる。データ送信では、符号器１０８０が、ワイヤレスデバイス１２０ｘによって送信すべきデータおよびメッセージを符号化し、変調器（Ｍｏｄ）１０８２が符号化データを変調する。送信機ユニット（ＴＭＴＲ）１０８４は、変調データを調整し（たとえば、フィルタリングし、増幅し、周波数アップコンバートし）、変調信号を生成し、その変調信号はアンテナ１０５２を介して送信される。
【００７７】
プロセッサ／コントローラ１０６０は、ワイヤレスデバイス１２０ｘ内の様々な処理ユニットの動作を指示することができる。コントローラ１０６０はさらに、システム選択および捕捉のためにワイヤレスデバイス１２０ｘが使用する図４〜図７のシステム選択ファイルを取得し、使用するために、図８のプロセス８００を実行することができる。メモリユニット１０６２は、コントローラ１０６０によって使用されるプログラムコードおよびデータを格納する。取外し可能モジュール１０７０は、様々なタイプのデータを格納することができる不揮発性メモリユニット１０７２を含む。たとえば、取外し可能モジュール１０７０は、上述の構造、ユーザのサブスクリプション情報などを有するシステム選択ファイルを備える基本ファイルを格納することができる。取外し可能モジュール１０７０は、ユーザはＣＤＭＡネットワーク間で、および異なるＲＡＴのネットワーク間でローミングことをより容易にし、またユーザが異なるワイヤレスデバイス上で同じ取外し可能モジュールを使用できるようにする。取外し可能モジュール１０７０は、（ｃｄｍａ２０００で使用される）Ｒ−ＵＩＭ、（Ｗ−ＣＤＭＡおよびＧＳＭで使用される）加入者識別モジュール（ＳＩＭ）、（同じくＷ−ＣＤＭＡおよびＧＳＭで使用される）ユニバーサル加入者識別モジュール（ＵＳＩＭ）などとすることができる。
【００７８】
システム選択ファイルサーバ１３６は、ＳＭＳメッセージを使用してシステム選択ファイルの無線プログラミングをサポートする。システム選択ファイルサーバ１３６内で、プロセッサ１０１０は、メモリユニット１０１２から複数のＰＲＬを受信し、これらのＰＲＬをもつデータブロックを生成する。通信ユニット１０１４は、データブロックをＳＭＳサービスセンター１３４に転送し、そのＳＭＳサービスセンター１３４は、データブロックを１つまたは複数のＳＭＳメッセージ内にカプセル化する。ＭＳＣ１３０ｘは、ＳＭＳメッセージを受信し、メッセージを基地局コントローラ（ＢＳＣ）（図１０に図示せず）を介して基地局１１０ｘに転送し、この基地局１１０ｘは次いで、メッセージをそのサービスエリア内のワイヤレスデバイスに無線で送信する。
【００７９】
無線サービスプロビジョニング機能（ＯＴＡＦ）１３８も同様にＰＲＬの無線プログラミングをサポートする。ＯＴＡＦ１３８は、複数のＰＲＬをもつデータブロックを生成し、データブロックを１つまたは複数のメッセージ中にカプセル化することができる。ＭＳＣ１３０ｙは、ＯＴＡＦ１３８から（１つまたは複数の）メッセージを受信し、その（１つまたは複数の）メッセージをＢＳＣ（図１０に図示せず）を介して基地局１１０ｙに転送して、ワイヤレスデバイスに送信する。ワイヤレスデバイス１２０ｘにおいて、コントローラ１０６０は、１つまたは複数のＰＲＬをもつ復号データブロックを受信し、ＰＲＬ情報を、たとえばＥＦ．ｓｕｂ．ＰＲＬ基本ファイルとして取外し可能モジュール１０７０中に、格納する。連結されたＰＲＬは、ワイヤレスデバイス１２０ｘの不揮発性メモリ中に格納することもできる。
【００８０】
ＡＰ基地局３１０は、ＤＳＬルータ、ケーブルモデムなどを介してインターネット３４０およびマクロネットワークと通信動作している。インターネット３４０は、マクロネットワークのＭＳＣ１３０ｚなどにブロードバンドバックホールリンクを提供する。
【００８１】
本出願は本発明の特定の例を記載しているが、当業者は、発明の概念を逸脱することなく本発明の変形物を考案することができる。たとえば、本明細書における教示は、回路交換ネットワーク要素に関するが、パケット交換ドメインネットワーク要素にも等しく適用できる。「例示的」という単語は、本明細書では「例、事例、または例示の働きをすること」を意味するために使用することに留意されたい。本明細書に「例示的」と記載されたいかなる実施形態も、必ずしも他の実施形態よりも好ましいまたは有利であると解釈されるべきではない。
【００８２】
本明細書で説明する１つまたは複数の態様によれば、上述のように複数の周囲のフェムトセルおよび／またはマクロセルの通信パラメータを決定すること関して推論がなされることを諒解されたい。本明細書で使用する「推論する」または「推論」という用語は、概して、事象および／またはデータを介して捕捉された観察のセットから、システム、環境および／またはユーザの状態について推理する、またはその状態を推論するプロセスを指す。推論は、たとえば、特定のコンテキストまたは動作を識別するために使用でき、あるいは、状態の確率分布を生成することができる。推論は、確率的であり得る、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観察された事象および／または記憶された事象データのセットから新しい事象または動作が構成される。
【００８３】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティ（entity）を指すものとする。たとえば、構成要素は、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００８４】
本明細書で開示するプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００８５】
当業者は、情報および信号は、様々な異なる技術および技法のいずれを使用しても表現できることを、理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００８６】
さらに、当業者は、本明細書で開示した例に関連して説明した様々な例示的な論理ブロック、モジュール、回路、方法およびアルゴリズムは、電子ハードウェア、コンピュータソフトウェア、または両方の組合せとして実施できることを、理解されよう。ハードウェアとソフトウェアのこの互換性を明確に説明するために、様々な例示的な構成要素、ブロック、モジュール、回路、方法、およびアルゴリズムについて、概してそれらの機能に関して上記で説明した。そのような機能をハードウェアで実装するかソフトウェアで実装するかは、システム全体に課せられた特定の適用および設計上の制約に依存する。当業者は、説明した機能を特定の適用例ごとに様々な方法で実装することができるが、そのような実装の決定は、本発明の範囲からの逸脱を生じるものと解釈すべきではない。
【００８７】
さらに、様々な実施形態について、モバイルデバイスに関して本明細書で説明する。モバイルデバイスは、システム、加入者ユニット、加入者局、移動局、移動体、リモート局、リモート端末、アクセス端末（Access Terminal；ＡＴ）、ユーザ端末、端末、ワイヤレス通信デバイス、ユーザエージェント、ユーザデバイス、またはユーザ機器（User Equipment；ＵＥ）と呼ばれることもある。モバイルデバイスは、セルラー電話、コードレス電話、セッション開始プロトコル（Session Initiation Protocol；ＳＩＰ）電話、ワイヤレスローカルループ（Wireless Local Loop；ＷＬＬ）局、携帯情報端末（Personal Digital Assistant；ＰＤＡ）、ワイヤレス接続機能を有するハンドヘルドデバイス、コンピューティングデバイス、またはワイヤレスモデムに接続される他の処理デバイスとすることができる。さらに、様々な実施形態について、基地局に関して本明細書で説明する。基地局は、（１つまたは複数の）モバイルデバイスと通信するために利用でき、アクセスポイント、ノードＢ、発展型ノードＢ（evolved Node B；ｅノードＢもしくはｅＮＢ）、送受信基地局（base transceiver station；ＢＴＳ）または何らかの他の用語で呼ばれることもある。
【００８８】
さらに、本明細書で説明する様々な態様または特徴は、標準のプログラミングおよび／またはエンジニアリング技法を使用した方法、装置、または製造品として実装できる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、消去可能プログラマブル読出し専用メモリ（ＥＰＲＯＭ）、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００８９】
本明細書で説明する技法は、符号分割多元接続（ＣＤＭＡ）、マルチキャリアＣＤＭＡ（ＭＣ−ＣＤＭＡ）、広帯域ＣＤＭＡ（Ｗ−ＣＤＭＡ）、高速パケットアクセス（ＨＳＰＡ、ＨＳＰＡ＋）、時分割多元接続（ＴＤＭＡ）、周波数分割多元接続（ＦＤＭＡ）、直交周波数分割多元接続（ＯＦＤＭＡ）、シングルキャリア周波数領域多重化（ＳＣ−ＦＤＭＡ）および、他の複数の接続システム／技法など様々なワイヤレス通信システムに対して使用できる。「システム」および「ネットワーク」という用語は、本明細書では互換的に使用されることがある。ＣＤＭＡシステムは、ユニバーサル地上無線アクセス（ＵＴＲＡ）、ＣＤＭＡ２０００などの無線技術を実装することができる。ＵＴＲＡはＷ−ＣＤＭＡおよび／またはＣＤＭＡの他の変形態を含むことができる。ＣＤＭＡ２０００は、ＩＳ−２０００、ＩＳ−９５およびＩＳ−８５６規格をカバーする。ＴＤＭＡシステムは広域移動通信システム（Global System for Mobile Communications；ＧＳＭ；登録商標）などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ；登録商標）、ＩＥＥＥ８０２．１６（ＷｉＭＡＸ；登録商標）、ＩＥＥＥ８０２．２０、Ｆｌａｓｈ−ＯＦＤＭ（登録商標）などの無線技術を実装することができる。ＵＴＲＡおよびＥ−ＵＴＲＡはユニバーサル移動通信システム（ＵＭＴＳ）の一部である。３ＧＰＰロングタームエボリューション（Long Term Evolution；ＬＴＥ；登録商標）は、ダウンリンク上ではＯＦＤＭＡを利用し、アップリンク上ではＳＣ−ＦＤＭＡを利用するＥ−ＵＴＲＡを使用する近々発表されるリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。さらに、本明細書で説明したワイヤレス通信システムは、たとえばＩＳ−９５、ｃｄｍａ２０００、ＩＳ−８５６、Ｗ−ＣＤＭＡ、ＴＤ−ＳＣＤＭＡなど、１つまたは複数の規格を実装することができることに留意されたい。
【００９０】
本明細書で開示した実施例に関連して説明した様々な例示的な論理ブロック、モジュール、および回路は、汎用プロセッサ、デジタル信号プロセッサ（Digital Signal Processor；ＤＳＰ）、特定用途向け集積回路（Application Specific Integrated Circuit；ＡＳＩＣ）、フィールドプログラマブルゲートアレイ（Field Programmable Gate Array；ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【００９１】
本明細書で開示した例に関して説明した方法またはアルゴリズムは、直接ハードウェアで、プロセッサによって実行されるソフトウェアモジュールで、またはその２つの組合せで実施できる。ソフトウェアモジュールは、ランダムアクセスメモリ（Random Access Memory；ＲＡＭ）、フラッシュメモリ、読取り専用メモリ（Read-Only Memory：ＲＯＭ）、ＥＰＲＯＭ、電気消去可能プログラマブル読出し専用メモリ（Electrically Erasable Programmable Read-Only Memory；ＥＥＰＲＯＭ）、レジスタ、ハードディスク、取外し可能ディスク、ＣＤ−ＲＯＭ、または当技術分野で知られている任意の他の形態の記憶媒体中に常駐することができる。記憶媒体は、プロセッサがその記憶媒体から情報を読むことができ、その記憶媒体に情報を書き込むことができるようにプロセッサに結合できる。代替として、記憶媒体はプロセッサに一体化することができる。プロセッサおよび記憶媒体はＡＳＩＣ中に常駐することができる。
【００９２】
１つまたは複数の例示的な実施形態では、説明した機能は、ハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置を備えることができ、あるいは所望のプログラムコードを命令またはデータ構造の形態で担持または記憶するために使用でき、コンピュータによってアクセスできる、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００９３】
開示した例の前述の説明は、当業者が本発明を製作または使用できるように与えられている。これらの例の様々な変更形態は、当業者には容易に明らかになるものであり、本明細書で定義した一般原理は、本開示の趣旨または範囲から逸脱することなく他の変形形態に適用できる。したがって、本発明は、本明細書で示した例に限定されるものではなく、本明細書で開示した原理および新規の特徴と合致する最も広い範囲が与えられるべきである。
【図１Ａ】
2011501527.tif 000003
【図１Ｂ】
2011501527.tif 000004
【図１Ｃ】
2011501527.tif 000005
【図１Ｄ】
2011501527.tif 000006
【図１Ｅ】
2011501527.tif 000007
【図２】
2011501527.tif 000008
【図３】
2011501527.tif 000009
【図４】
2011501527.tif 000010
【図５】
2011501527.tif 000011
【図６】
2011501527.tif 000012
【図７】
2011501527.tif 000013
【図８Ａ】
2011501527.tif 000014
【図８Ｂ】
2011501527.tif 000015
【図９Ａ】
2011501527.tif 000016
【図９Ｂ】
2011501527.tif 000017
【図１０】
2011501527.tif 000018
【国際調査報告】
2011501527.tif 000019
2011501527.tif 000020
2011501527.tif 000021